(57)【要約】【課題】本発明は、マルチタスクを容易に切り替ることができるマルチタスク切替方法及びそのシステム及びそのシステムを有する電子装置を提供することを目的とする。【解決手段】本発明に係る電子装置のマルチタスク切替方法は、電子装置のタッチパネル上で行われる操作動作の位置座標を検知して、位置座標情報を生成する座標検知ステップと、タッチパネル上の操作動作のスライド方向を検知して、スライド方向情報を生成するスライド方向識別ステップと、操作動作の圧力の大きさを検知して、圧力値情報を生成する圧力検知ステップと、位置座標情報、スライド方向情報及び圧力値情報に基づいて対応する応答指令を実行する実行ステップと、を有する。【選択図】図１
2015153420.tif 000002
【特許請求の範囲】
【請求項１】
電子装置のマルチタスク切替方法であって、
前記電子装置のタッチパネル上で行われる操作動作の位置座標を検知し、位置座標情報を生成する座標検知ステップと、
前記タッチパネル上の操作動作のスライド方向を検知して、スライド方向情報を生成するスライド方向識別ステップと、
前記操作動作の圧力の大きさを検知して、圧力値情報を生成する圧力検知ステップと、
前記位置座標情報、前記スライド方向情報及び前記圧力値情報に基づいて、対応する応答指令を実行する実行ステップと、を有することを特徴とするマルチタスク切替方法。
【請求項２】
前記操作動作は、一般操作動作と、加圧操作動作と、を含み、
前記一般操作動作は、クリック、押圧、ダブルクリック及びスライドを含み、
加圧操作動作は、左方向加圧スライド、右方向加圧スライド、上方向加圧スライド、下方向加圧スライドを含むことを特徴とする請求項１に記載のマルチタスク切替方法。
【請求項３】
右方向に加圧スライドさせると、一つ前のバックグラウンド応用プログラムが開き、
左方向に加圧スライドさせると、全てのバックグラウンド応用プログラムのリストが開き、
リストにある応用プログラムをクリックすると、クリックした応用プログラムが選択され、
リストにあるバックグラウンド応用プログラムをクリックした後、上方に向けて加圧スライドさせると、クリックした応用プログラムとその前にあるフォアグウランド応用プログラムとがウィンドウを分割するように並列表示され、
リストにあるバックグラウンド応用プログラムをクリックし且つ下方に向けて加圧スライドさせると、クリックした応用プログラムがバックグラウンド応用プログラムのリストから削除されることを特徴とする請求項２に記載のマルチタスク切替方法。
【請求項４】
加圧しながら右方向にスライドさせると、カスタムオプションが開き、現在実行中の応用プログラムの選択メニュー、現在実行中の全ての応用プログラムのリスト、通知及びショートカットウィンドウ、クイックセットアップメニュー又はある特定の応用プログラムを表示して、ユーザの習慣に応じた設定を行わせることを特徴とする請求項２に記載のマルチタスク切替方法。
【請求項５】
電子装置のマルチタスク切替システムであって、
前記電子装置のタッチパネルに加えられる操作動作の位置座標を検知し、位置座標情報を生成する座標検知モジュールと、
前記タッチパネル上における操作動作のスライド方向を検知して、スライド方向情報を生成するスライド方向識別モジュールと、
前記操作動作の圧力の大きさを検知して、圧力値情報を生成する圧力検知モジュールと、
前記位置座標情報、前記スライド方向情報及び前記圧力値情報に基づいて、対応する応答指令を実行する実行モジュールと、を備えることを特徴とするマルチタスク切替システム。
【請求項６】
請求項５に記載されたマルチタスク切替システムと、タッチパネルと、を備えることを特徴とする電子装置。
【請求項７】
前記タッチパネルはカーボンナノチューブによって製造された圧力検知タッチパネルであることを特徴とする請求項６に記載の電子装置。
【発明の詳細な説明】
【技術分野】
【０００１】
本発明は、マルチタスク切替方法及びそのシステム及び該システムを有する電子装置に関するものである。
【背景技術】
【０００２】
従来の技術において、スマートフォンやタブレットなどのスマート機器は、特定のボタンを押してタスクマネージャを開き、このタスクマネージャから必要とするバックグラウンド応用プログラムを選択する、又はタッチパネル上で特定の操作を行うことにより、タスクを切り替える。しかし、ボタンを押してタスクマネージャを開くには時間が掛かる。また、現在のタスクを切り替えるために設定された操作、例えば四本の指をスライドさせる又は指をＳ字を描くように移動させるなどの操作は複雑であり、しかも忘れやすい。また、タスクの切り替え操作を容易にした場合、他の応用プログラムに対応する操作と重複しやすい。
【発明の概要】
【発明が解決しようとする課題】
【０００３】
本発明の目的は、前記問題を解決し、マルチタスクを容易に切り替えることができるマルチタスク切替方法及びそのシステム及び該システムを有する電子装置を提供することである。
【課題を解決するための手段】
【０００４】
上記目的を達成するために、本発明に係る電子装置のマルチタスク切替方法は、電子装置のタッチパネル上で行われる操作動作の位置座標を検知し、位置座標情報を生成する座標検知ステップと、タッチパネル上における操作動作のスライド方向を検知して、スライド方向情報を生成するスライド方向識別ステップと、操作動作の圧力の大きさを検知して、圧力値情報を生成する圧力検知ステップと、位置座標情報、スライド方向情報及び圧力値情報に基づいて、対応する応答指令を実行する実行ステップと、を有する。
【発明の効果】
【０００５】
本発明に係るマルチタスク切替方法は、操作動作の位置、操作動作のタイプ及び操作動作の圧力を検知し、対応する応答指令を実行すれば、対応するタスクを切り替えることができる。即ち、圧力を掛けるという簡単な操作動作でタスクを切り替えることができ、また、応用プログラムに対応する操作動作とも重複しないので、電子装置の使用体験をさらに向上させることができる。
【図面の簡単な説明】
【０００６】
【図１】本発明の実施形態に係るマルチタスク切替システムの実行環境を示すブロック図である。
【図２】本発明の実施形態に係る電子装置の平面図である。
【図３】本発明の実施形態に係るマルチタスク切替方法のフローチャートである。
【発明を実施するための形態】
【０００７】
図１は、本発明の実施形態に係るマルチタスク切替システム１０の実行環境を示すブロック図である。マルチタスク切替システム１０は、電子装置１００に応用される。電子装置１００は、タッチパネル１１と、記憶装置１２と、プロセッサ１３と、を備える。電子装置１００は、タブレット、スマートフォン、携帯情報端末、モバイルインターネットサービスなど、タッチパネル１１を備える携帯式電子装置であるが、圧力を検知できるタッチパネルを備えたスマートフォン又はタブレットが望ましい。
【０００８】
本実施形態において、タッチパネル１１は、圧力を検知でき且つカーボンナノチューブによって製造されたタッチパネルであって、ユーザがタッチパネルをタッチする力の程度を検知し、この力の程度をプロセッサ１３に送信して処理させる。図２に示したように、タッチパネル１１は、第一側辺１１１と、第二側辺１１２と、中央ライン１１３と、を備える。第一側辺１１１及び第二側辺１１２は、中央ライン１１３の両側に相対して位置する。
【０００９】
マルチタスク切替システム１０は、座標検知モジュール１０１と、スライド方向識別モジュール１０２と、圧力検知モジュール１０３と、実行モジュール１０４と、を備える。マルチタスク切替システム１０は、電子装置１００の操作システムに属しても、又は記憶装置１２に記憶されても良い。マルチタスク切替システム１０は、プロセッサ１３によって実行される。
【００１０】
座標検知モジュール１０１は、タッチパネル１１上で行われる操作動作の位置座標を検知して、位置座標情報を生成する。本実施形態において、操作動作は、クリック、押圧、ダブルクリック、スライドなどの動作である。具体的には、クリックは、ユーザが指又はペンによって、タッチパネルの一箇所を軽く且つ素早くタッチすることである。押圧は、ユーザが指又はペンによって、タッチパネルの一箇所を長く押すことである。ダブルクリックは、ユーザが指又はペンによって、タッチパネルの一箇所を二回軽くタッチすることである。スライドは、ユーザが指又はペンによって、タッチパネルのある一箇所から他の一箇所までスライドさせることである。座標検知モジュール１０１は、タッチパネル１１上の操作動作を検知すると、記憶装置１２に予め記憶された座標表を調べて、タッチパネル１１における操作動作に対応する位置座標情報を確定する。
【００１１】
スライド方向識別モジュール１０２は、タッチパネル１１上の操作動作のスライド方向を検知して、スライド方向情報を生成する。本実施形態において、第一側辺１１１から中央ライン１１３に向けてスライドさせるのを右スライドとし、第二側辺１１２から中央ライン１１３に向けてスライドさせるのを左スライドとし、第一側辺１１１又は第二側辺１１２に対して平行に且つ電子装置１００の上端に向けてスライドさせるのを上方スライドとし、第一側辺１１１又は第二側辺１１２に対して平行に且つ電子装置１００の底端に向けてスライドさせるのを下方スライドとする。ユーザがタッチパネル１１をクリック、押圧、又はダブルクリックする時、スライド方向識別モジュール１０２が識別する操作動作のスライド方向情報は無い。即ち、該操作動作はスライド動作ではないことを表す。
【００１２】
圧力検知モジュール１０３は、タッチパネル１１に加えられる操作動作の圧力の大きさを検知して、圧力値情報を生成する。具体的には、圧力検知モジュール１０３は、検知した操作動作の圧力値を予め設定された閾値と比較して、圧力値が閾値よりも大きいか又は閾値に等しい場合、操作動作は加圧操作動作と認識される。圧力値が閾値よりも小さい場合、操作動作は一般操作動作と認識される。本実施形態において、加圧操作動作とは、加圧クリック又は加圧スライドである。即ち、タッチパネル１１をクリック又はスライドする時、タッチパネル１１に一定の圧力を掛ける動作のことである。
【００１３】
実行モジュール１０４は、座標検知モジュール１０１により送信された位置座標情報、スライド方向識別モジュール１０２により送信されたスライド方向情報及び圧力検知モジュール１０３により送信された圧力値情報に基づいて、対応する応答指令を実行する。具体的には、検知された操作動作が右方向加圧スライドである場合、実行モジュール１０４は、一つ前のバックグラウンド応用プログラムを開く応答指令を実行する。検知された操作動作が左方向加圧スライドである場合、実行モジュール１０４は、全てのバックグラウンド応用プログラムのリストを開く応答指令を実行する。検知された操作動作が上方向加圧スライドである場合、実行モジュール１０４は、目標(選択された)応用プログラム及びフォアグラウンド応用プログラムをウィンドウを分割するように並列表示させる応答指令を実行する。検知された操作動作が下方向加圧スライドである場合、実行モジュール１０４は、バックグラウンド応用プログラムのリストから目標応用プログラムを取り除く応答指令を実行する。検知された操作動作が加圧クリックである場合、実行モジュール１０４は、現在の応用プログラムの選択メニューを開く応答指令を実行する。
【００１４】
図３は、本発明の実施形態に係るマルチタスク切替方法のフローチャートであって、以下のステップを備える。
【００１５】
ステップＳ１において、座標検知モジュール１０１は、タッチパネル１１に加えられた操作動作の位置座標を検知して、位置座標情報を生成する。該位置座標は、タッチパネル１１上のどの箇所の座標であってもよい。
【００１６】
ステップＳ２において、スライド方向識別モジュール１０２は、タッチパネル１１上における操作動作のスライド方向を検知して、スライド方向情報を生成する。スライド方向は、右方向、左方向、上方、下方のうちの何れか一つである。
【００１７】
ステップＳ３において、圧力検知モジュール１０３は、タッチパネル１１に対する操作動作の圧力の大きさを検知して、圧力値情報を生成し、操作動作が一般操作動作又は加圧操作動作であるかを判断する。
【００１８】
ステップＳ４において、実行モジュール１０４は、座標検知モジュール１０１により送信された位置座標情報、スライド方向識別モジュール１０２により送信されたスライド方向情報及び圧力検知モジュール１０３により送信された圧力値情報に基づいて、対応する応答指令を実行する。
【００１９】
本実施形態において、マルチタスク切替方法は、多方向に加圧スライドさせる又は一箇所を加圧クリックするなど様々な操作ができる。バックグラウンド応用プログラムのリストがスクリーン上に全て表示されていない場合、リストの端部に「さらに表示」という項目が表示され、この項目をクリックすれば、他のバックグラウンド応用プログラムが表示される。リスト内のバックグラウンド応用プログラムをクリックすると、そのバックグラウンド応用プログラムが選択できる。リスト内のバックグラウンド応用プログラムをクリックし且つ上方に加圧スライドさせると、目標バックグラウンド応用プログラムとその前にあるフォアグラウンド応用プログラムとをウィンドウを分割するように並列表示できる。或いは、リストにあるバックグラウンド応用プログラムをクリックし且つ下方に加圧スライドさせると、バックグラウンド応用プログラムのリストから目標応用プログラムを削除することができる。
【００２０】
別の実施形態において、加圧操作動作は他の動作であっても良い。例えば、タッチパネル１１にタッチと同時に加圧するか又はタッチした後暫く時間を置いた後に加圧するなどである。また、応答指令も、他の指令であってもよい。例えば、加圧しながら右方向にスライドさせると、カスタムオプションが開き、現在実行中の応用プログラムの選択メニュー、現在実行中の全ての応用プログラムのリスト、通知及びショートカットウィンドウ、クイックセットアップメニュー又はある特定の応用プログラムなど、ユーザの習慣に応じて設定することができる。
【００２１】
本発明のマルチタスク切替システム１０は、座標検知モジュール１０１、スライド方向識別モジュール１０２、圧力検知モジュール１０３を介してタッチパネル１１に加えられた操作動作のタイプを検知し、実行モジュール１０４により対応する応用指令を実行して、マルチタスク切替方法を提供する。したがって、マルチタスク切替方法は、現在設定されている操作動作と重複しないため、電子装置１００の使用体験をさらに向上させることができる。
【符号の説明】
【００２２】
１０  マルチタスク切替システム
１１  タッチパネル
１２  記憶装置
１３  プロセッサ
１００  電子装置
１０１  座標検知モジュール
１０２  スライド方向識別モジュール
１０３  圧力検知モジュール
１０４  実行モジュール
１１１  第一側辺
１１２  第二側辺
１１３  中央ライン
【図１】
2015153420.tif 000003
【図２】
2015153420.tif 000004
【図３】
2015153420.tif 000005